(57)【要約】【課題】収納された土壌を取り出し易く、利便性の高い土壌採取装置を提供する。【解決手段】土壌採取装置１は、採取した土壌を内部に収納するためのカートリッジ３、カートリッジ３を下側位置に固定するための保持アーム２３、およびカートリッジ３を保護するための外部カバー９からなる円筒部２、円筒部２に地盤中への推進力を伝達するための伝達部４、伝達部４と円筒部２とを接続するためのジョイント部材５、外部カバー９の内周とカートリッジ３の外周との間をシールするためのＯリング６、Ｏリング６の位置を固定するためのフランジ部材７、地盤中への推進を容易にするとともに採取した土壌をカートリッジ３へスムーズに送り込むための口金８等によって構成されている。【選択図】図２
2007284961.tif 000002
【特許請求の範囲】
【請求項１】
採取した土壌を収納するための円筒部と、前記円筒体へ土壌中への推進力を伝達するための伝達部とを備えた土壌採取装置であって、
前記円筒部が、長手方向に二分割してなる円筒状のカートリッジを円筒状の外部カバーの内部に装着したものであることを特徴とする土壌採取装置。
【請求項２】
円筒部の先端に、先細状の口金が設けられていることを特徴とする請求項１に記載の土壌採取装置。
【請求項３】
外部カバーとカートリッジとの間にパッキンが設けられていることを特徴とする請求項１、または請求項２に記載の土壌採取装置。
【請求項４】
円筒部の先端に、カートリッジの内径よりも小径の円筒状部の基端に円筒部の内径よりも大径のフランジを設けたフランジ部材が嵌め込まれているとともに、そのフランジ部材の円筒状部の基端にパッキンが取り付けられていることを特徴とする請求項１〜３のいずれかに記載の土壌採取装置。
【請求項５】
伝達部が、駆動装置を備えたものであることを特徴とする請求項１〜４のいずれかに記載の土壌採取装置。
【請求項６】
長手方向に二分割してなる円筒状のカートリッジが、先端部にリング体を外嵌することによって閉じた状態で保持されていることを特徴とする請求項１〜５のいずれかに記載の土壌採取装置。
【請求項７】
請求項１〜６のいずれかに記載の土壌採取装置を用いることを特徴とする土壌採取方法。
【発明の詳細な説明】
【技術分野】
【０００１】
本発明は、地質検査に供する土壌を採取するために用いる土壌採取装置に関するものである。
【背景技術】
【０００２】
建物の建設等の前に、地盤の強度やその地盤における土壌の質を調べるために、所定の深さにおける土壌のサンプリングが行われることがある。かかる土壌のサンプリング装置としては、サンプリングした土壌を収納するための下端を開口した円筒部と、その円筒部に回転力を伝達する伝動部とを備えており、円筒部を回転させながら地盤内へ押し込むことによって円筒部内に装着された容器内に土壌を流し込むようにしたものが知られている。また、そのようなサンプリング装置においては、地盤中への円筒部の押し込みを容易にするとともに、収納される土壌の圧縮を防止するために、円筒部の内周面に送りねじを設ける技術も考案されている（特許文献１）。
【０００３】
【特許文献１】特開２００２−２８６５９３号公報
【発明の開示】
【発明が解決しようとする課題】
【０００４】
しかしながら、上記従来のサンプリング装置は、容器内から土壌を取り出しにくいため、土壌の採取作業が煩雑なものとなる。また、構造が複雑であるため、コンパクトで軽量なものとすることができず、運搬時の利便性に欠ける、という不具合がある。
【０００５】
本発明の目的は、上記従来のサンプリング装置が有する問題点を解消し、収納された土壌を取り出し易く、利便性の高い土壌採取装置、およびその土壌採取装置を用いた効率的な土壌採取方法を提供することにある。
【課題を解決するための手段】
【０００６】
かかる本発明の内、請求項１に記載された発明の構成は、採取した土壌を収納するための円筒部と、前記円筒体へ土壌中への推進力を伝達するための伝達部とを備えた土壌採取装置であって、前記円筒部が、長手方向に二分割してなる円筒状のカートリッジを円筒状の外部カバーの内部に装着したものであることにある。なお、カートリッジと外部カバーとの隙間（カートリッジの外径と外部カバーの内径との差）は、１．０ｍｍ以上２．０ｍｍ未満であると好ましい。当該隙間が１．０ｍｍ未満であると、部材に歪みや傷が生じた場合にカートリッジを挿入しにくくなるので好ましくなく、反対に、当該隙間が２．０ｍｍ以上であると、カートリッジの遊びが大きくなり、隙間の中に土壌が入り込むため、同様にカートリッジを外部カバーから引き抜きにくくなるので好ましくない。また、カートリッジの材質が、鉄やアルミニウム等の金属であると、加工がし易く、使用時に損傷しにくいので好ましい。
【０００７】
請求項２に記載された発明の構成は、請求項１に記載された発明において、円筒部の先端に、先細状の口金が設けられていることにある。なお、口金の先端の口径が、カートリッジの内径以下であると、口金の先端の口径がカートリッジの内径と同じものに比べて、多量の土壌を採取することができるので好ましい。
【０００８】
請求項３に記載された発明の構成は、請求項１、または請求項２に記載された発明において、外部カバーとカートリッジとの間にパッキンが設けられていることにある。
【０００９】
請求項４に記載された発明の構成は、請求項１〜３のいずれかに記載された発明において、円筒部の先端に、カートリッジの内径よりも小径の円筒状部の基端に円筒部の内径よりも大径のフランジを設けたフランジ部材が嵌め込まれているとともに、そのフランジ部材の円筒状部の基端にパッキンが取り付けられていることにある。
【００１０】
請求項５に記載された発明の構成は、請求項１〜４のいずれかに記載された発明において、伝達部が、駆動装置を備えたものであることにある。
【００１１】
請求項６に記載された発明の構成は、請求項１〜５のいずれかに記載された発明において、長手方向に二分割してなる円筒状のカートリッジが、先端部にリング体を外嵌することによって閉じた状態で保持されていることにある。
【００１２】
請求項７に記載された発明の構成は、請求項１〜６のいずれかに記載の土壌採取装置を用いる土壌採取方法にある。
【発明の効果】
【００１３】
請求項１の土壌採取装置は、採取した土壌を収納するための円筒部が、長手方向に二分割してなる円筒状のカートリッジを円筒状の外部カバーの内部に装着したものであるため、採取した土壌が分割式のカートリッジの内部に収納されるので、外部カバーからカートリッジを取り外し、そのカートリッジを分割させることによって、採取した土壌を非常に容易に取り出すことができる。
【００１４】
請求項２の土壌採取装置は、円筒部の先端に、先細状の口金が設けられているため、多大な推進力を加えなくても容易に地盤中に押し込むことができる。また、口金の先端から入り込んだ土壌が、カートリッジの内部へスムーズに送り込まれて、過度に圧縮されることがないので、取り出した土壌を容易に判別することができる。
【００１５】
請求項３の土壌採取装置は、カートリッジと外部カバーとの間にパッキンが設けられているため、土壌が円筒部の先端から外部カバーの内周とカートリッジの外周との間に入り込まないので、土壌採取後に、外部カバーからカートリッジを容易に引き抜くことができる。
【００１６】
請求項４の土壌採取装置は、円筒部の先端に、フランジ部材が嵌め込まれているとともに、そのフランジ部材の円筒状部の基端にパッキンが取り付けられているため、パッキンの位置がずれたりしないので、土壌が円筒部の先端から外部カバーの内周とカートリッジの外周との間に入り込む事態をきわめて高い精度で防止することができる。
【００１７】
請求項５の土壌採取装置は、伝達部が駆動装置を備えたものであるため、作業者が多大な労力をかけなくても、非常に容易に地盤中に押し込むことができる。
【００１８】
請求項６の土壌採取装置は、分割式のカートリッジが先端部にリング体を外嵌することによって閉じた状態で保持されているため、土壌の採取中には、カートリッジが閉じられた状態で確実に保持され、土壌の採取後には、リング体を取り外すだけで、容易にカートリッジを開放することができる。
【００１９】
請求項７の土壌採取方法によれば、きわめて容易に、かつ、効率的に土壌を採取することが可能となる。
【発明を実施するための最良の形態】
【００２０】
以下、本発明の土壌採取装置の一実施形態を図面に基づいて詳細に説明する。図１は、土壌採取装置の正面を示したものであり、図２は、土壌採取装置を分解した状態を示したものである。土壌採取装置１は、採取した土壌を収納するためのカートリッジ３、外部カバー９，９、および保持アーム２３からなる円筒部２、円筒部２に地盤中への推進力（地盤中へ押し込む力）を伝達するための伝達部４、伝達部４と円筒部２とを接続するためのジョイント部材５、外部カバー９の内周とカートリッジ３の外周との間をシールするための合成樹脂製のＯリング６、Ｏリング６の位置をずらさないように円筒部２の先端に嵌め込まれるフランジ部材７、地盤中への推進を容易にするとともに採取した土壌をカートリッジ３へスムーズに送り込むための口金８等によって構成されている。
【００２１】
各外部カバー９，９は、金属（鉄）によって１，０００ｍｍの長さの円筒状（内径＝４０ｍｍ、外径＝５４ｍｍ）に形成されている。そして、基端の内周には、雌ネジ（図示せず）が刻設されており、先端には、雄ネジ１０が刻設されている。そして、２個の外部カバー９，９は、片方の先端に設けられた雄ネジ１０を他方の基端に設けられた雌ネジと螺合させることによって、接合することができるようになっている。
【００２２】
また、図３（ａ）は、カートリッジ３の水平断面図であり、カートリッジ３は、略同一形状を有する一対の収納体３ａ，３ｂ、および３個のリング体２４，２４，２４によって構成されている。各リング体２４，２４，２４は、長尺な円柱状の金属線（鉄線）によって、一箇所が開放されたリング状に形成されており、その開放部分の両端縁が内側に折り返された状態になっている。
【００２３】
さらに、図４（ａ）は、カートリッジ３の収納体３ａ，３ｂを分解した状態を示す斜視図であり、（ｂ）は、組み付けた収納体３ａ，３ｂの上側の部分を示す正面図である。各収納体３ａ，３ｂは、金属（鉄）のプレス加工によって外部カバー９と略同一の長さ（１，０００ｍｍ）の半円筒状に形成された筒状部３４の基端（上端）に、保持アーム２３に螺着させるための螺着部３５を溶接したものである。筒状部３４の下端際、および略中央には、リング体２４，２４，２４を取り付けるための溝２５，２５，２５が刻設されている。加えて、片方の収納体３ｂの各溝２５，２５，２５には、リング体２４の折返し部分３６を係合させるための係合凹部２６，２６が、他の部分よりも深くなるように堀設されている。また、各収納体３ａ，３ｂの螺着部３５の上側には、半円柱状のネジ形成体２７が突設されており、そのネジ形成体２７の外周面には、保持アーム２３に螺着させるための雄ネジ（一部）３７が設けられている。
【００２４】
かかる収納体３ａ，３ｂは、筒状部３４の非曲面側同士を向かい合わせ、その状態でリング体２４，２４，２４を溝２５，２５，２５内に嵌め込み、各リング体２４，２４，２４の折返し部分３６，３６を係合凹部２６，２６内に係合させることによって、下端を開放した筒状（内径＝３１ｍｍ、外径＝３７ｍｍ）に形成されている。また、そのように組み付けられた状態においては、各収納体３ａ，３ｂの上端のネジ形成体２７，２７が、外周に雄ネジ３７を刻設した円柱状体を形成するようになっている。
【００２５】
一方、保持アーム２３は、金属（鉄）によって円柱状に形成された本体部材３１の先端および基端に、それぞれ、接合部材３３、キャップ４９を螺着させたものである（図２参照）。接合部材３３の内周には、カートリッジ３の上端に設けられた雄ネジ３７と螺合する雌ネジ２９が螺刻されている。さらに、本体部材３１の上端には、カートリッジを取り出す際に利用する取出凹部４８が設けられており、内周には雌ネジが螺刻されている。そして、その取出凹部４８に、キャップ４９が螺着された状態になっている。
【００２６】
また、伝達部４は、金属（鉄）によって外部カバー９より大径の円柱状に形成された本体１１の基端に、直線状のハンドル１２が、本体１１の中心軸線と直交するように取り付けられている。そして、ハンドル１２の基端には、外部の油圧ポンプ（図示せず）と接続するための接続手段１４が設けられており、吸入パイプ３８、排出パイプ３９と接続された状態になっている。さらに、本体１１の先端には、ジョイント部材５の基端を挿入するための挿入孔１３が穿設されている。また、本体１１の先端には、挿入孔１３が設けられている。また、本体１１の中央よりやや下側に形成された大径部分１５には、挿入孔１３から挿入されたジョイント部材５の基端を、油圧ポンプによる油圧やコンプレッサによる空気圧を利用して断続的に叩打するためのハンマー１６が内蔵されている。
【００２７】
また、フランジ部材７は、金属（真鍮）によって形成されており、カートリッジ３の内径よりも小径の円筒状部１７の基端に、外部カバー９の内径よりも大径のフランジ１８が設けられている。そして、円筒状部１７の基端には、Ｏリング６が嵌め込まれている。さらに、ジョイント部材５は、金属（鉄）によって棒状に形成されている。そして、基端は、六角柱状に加工されており、先端には、保持アーム２３や保持アームの基端を挿入可能な凹部５０が設けられている。さらに、その凹部５０の内周には、外部カバー９の基端の内周に設けられた雌ネジ（図示せず）と螺合する雄ネジ２０が刻設されている。また、凹部５０の上端には、平板状の緩衝部材（ゴム）４０が取り付けられている。
【００２８】
一方、図５は、口金８の設置部分の断面を示したものである。口金８は、金属（鉄）によって、円柱状部分の先端に逆円錐台状部分を連設した先細の筒状に形成されている。そして、基端側には、外部カバー９の先端部分を嵌め込むための嵌合凹部２８が円柱形の空洞状に設けれており、その嵌合凹部２８の内周面には、外部カバー９の先端に設けられた雄ネジ１０と螺合する雌ネジ１９が刻設されている。一方、口金８の先端側には、土壌をカートリッジ３内へ導くための導入孔３２が、嵌合凹部２８と連通するように設けられている。なお、導入孔３２は、基端の内径の方が先端の内径より小さくなっている。また、嵌合凹部２８の内径（図５におけるａ）は、フランジ部材７のフランジ１８の外径と略同一寸法になっており、導入孔３２の基端の内径（図５におけるｂ）は、フランジ部材７の円筒状部１７の内径と略同一寸法になっている。
【００２９】
土壌採取装置１は、以下の手順によって一体的に組み付けられている。
（１）２個の外部カバー９，９を接続する（片方の下端の雌ネジ１０と他方の上端の雄ネジとを螺合させる）。
（２）下側の外部カバー９の先端の内部にフランジ部材７の円筒状部１７を挿入することによってフランジ部材７を取り付け、そのフランジ部材７を覆うように、口金８を外部カバー９の先端に螺合させる。そのように、口金８を螺合させることによって、フランジ部材７の中心が外部カバー９の中心となるように位置決めされる。
（３）組み付けられたカートリッジ３の上端の雄ネジ３７を、保持アーム２３の下端の接合部３３に螺着させることによって、カートリッジ３と保持アーム２３とを接続する。
（４）保持アーム２３と一体となったカートリッジ３を、外部カバー９，９内に押し込み、カートリッジ３の収納体３ａ，３ｂの先端をフランジ部材７の円筒状部１７と外部カバー９の間に挿入する（すなわち、カートリッジ３を装着する）。
（５）上側の外部カバー９の基端にジョイント部材５の先端を螺合させる（外部カバー９の基端の雌ネジとジョイント部材５先端の雄ネジ２０とをとを螺合させる）。
（６）ジョイント部材５の基端を伝達部４の先端に挿入する。
【００３０】
上記の如く組み立てられた土壌採取装置１においては、保持アーム２３およびカートリッジ３が、口金８（フランジ部材７）とジョイント部材５とによって挟み込まれて、上下に動かないようになっており、カートリッジ３が下側の外部カバー９の内部に保持された状態になっている。また、フランジ部材７のフランジ１８が、口金８の嵌合凹部２８の底面に押止された状態で、Ｏリング６が外部カバー９の内周とカートリッジ３の外周との間に押し付けられており、当該隙間が完全にシールされた状態になっている。
【００３１】
土壌採取装置１によって土壌を採取する場合には、土壌採取装置１を、一旦、以下の手順で組み付ける。
（１）片方の外部カバー９の先端の内部にフランジ部材７を取り付け、口金８を外部カバー９の先端に螺合させる。
（２）カートリッジ３を組み付け、その組み付けられたカートリッジ３の上端に、接合部材３３のみを螺合させ、その接合部材３３の上端にキャップ４９を螺合させる。
（３）組み付けられたカートリッジ３を、外部カバー９内に押し込んで装着する。
（４）外部カバー９の基端にジョイント部材５の先端を螺合させる。
（５）ジョイント部材５の基端を伝達部４の先端に挿入する。
【００３２】
そして、伝達部４の接続手段１４を利用して外部の油圧ポンプに接続し、その状態で、作業者が伝達部４のハンドル１２を把持して、円筒部２（外部カバー９およびカートリッジ３）が地面に垂直になるように地盤に突き立てる。そして、その状態で油圧ポンプ等による打撃力を利用して、円筒部２を地盤中に押し込む（円筒部２の基端が地表際に位置するまで押し込む）。
【００３３】
そして、円筒部２が押し込まれた後には、一旦、伝達部４を取り外してジョイント部材５を取り外し、カートリッジ３を引き抜いて取り外す（なお、カートリッジ３の長さは外部カバー９の長さと略同一に設計されており、外部カバー９の上端からキャップ４９が突出した状態になっているので、そのキャップ４９を利用して、簡単にカートリッジ３を引き抜くことができる）。そして、そのようにカートリッジ３を引き出した後には、図４の如く分割して、内部の土壌（地面から地下約１ｍの深さまでの土壌）の状態を判断する（調査に供する）。
【００３４】
しかる後、再度、カートリッジ３を組み付けて、そのカートリッジ３の上端に保持アーム２３を接続する。また、土壌中に埋まっている外部カバー９の基端に、別の外部カバー９を接続する。そして、保持アーム９と一体となったカートリッジ３を、下側の外部カバー９の内部まで押し込むことによって、カートリッジ３を装着する。そして、再度、伝達部４を装着して、円筒部２の地盤中への押し込みを再開する。
【００３５】
そして、円筒部２の基端が地表際に位置するまで円筒部２が押し込まれた後には、伝達部４を取り外し、ジョイント部材５を取り外し、保持アーム２３を引き抜くことによってカートリッジ３を取り外し、保持アーム２３と分離したカートリッジ３を分割して、内部の土壌（地下約１ｍ〜約２ｍの深さまでの土壌）の状態を判断する。土壌採取装置１を用いて上記のような土壌の採取方法を採用することにより、２つの部位の土壌（地面から地下約１ｍの深さまでの土壌、および地下約１ｍ〜約２ｍの深さまでの土壌）を効率的に採取することが可能となる。
【００３６】
土壌採取装置１は、上記の如く、採取した土壌を収納するための円筒部２が、長手方向に二分割してなる円筒状のカートリッジ３を外部カバー９の内部に装着したものであるため、採取した土壌が分割式のカートリッジ３の内部に収納されるので、外部カバー９からカートリッジ３を取り外し、そのカートリッジ３を分割させることによって、採取した土壌を非常に容易に取り出すことができる。
【００３７】
また、土壌採取装置１は、円筒部２の先端に、先細状の口金８が設けられているため、多大な推進力を加えなくても容易に地盤中に押し込むことができる。また、口金８の先端から入り込んだ土壌が、カートリッジ３の内部へスムーズに送り込まれて、過度に圧縮されることがないので、取り出した土壌を容易に判別することができる。
【００３８】
さらに、土壌採取装置１は、カートリッジ３と外部カバー９との間にパッキンとして機能するＯリング６が設けられているため、土壌が円筒部２の先端から外部カバー９の内周とカートリッジ３の外周との間に入り込まないので、土壌採取後に、外部カバー９からカートリッジ３を容易に引き抜くことができる。
【００３９】
加えて、土壌採取装置１は、円筒部２の先端に、フランジ部材７が嵌め込まれているとともに、そのフランジ部材７の円筒状部１７の基端にＯリング６が取り付けられているため、Ｏリング６の位置がずれたりしないので、土壌が円筒部２の先端から外部カバー９の内周とカートリッジ３の外周との間に入り込む事態をきわめて高い精度で防止することができる。
【００４０】
また、土壌採取装置１は、伝達部４が駆動装置である油圧ポンプ（図示せず）を装着可能なものであるため、作業者が多大な労力をかけなくても、非常に容易に地盤中に押し込むことができる。
【００４１】
加えて、土壌採取装置１は、口金８の導入孔３２が先端より基端を小径にしたものであるので、口金８の基端を通過した土砂がその口金８の基端より大径のカートリッジ３内へときわめてスムーズに導かれるので、従来の土壌サンプリング装置に比べて非常に多くの土壌（多量の土壌）を採取することができる。
【００４２】
さらに、土壌採取装置１は、外部カバー９内に装着されるカートリッジ３がプレス加工によって正確な半円筒状に成形された２つの収納体３ａ，３ａを組み合わせたものであるため、外部カバー９，９とカートリッジ３との間に余分な隙間が形成されることがない。したがって、土壌が円筒部２の先端から外部カバー９の内周とカートリッジ３の外周との間に入り込む事態をきわめて高い精度で防止することができ、土壌の侵入によってカートリッジ３が抜き取りにくくなるという事態が生じない。
【００４３】
なお、本発明の土壌採取装置の構成は、上記実施形態の態様に何ら限定されるものではなく、円筒部（保護カバー、保持アーム、カートリッジ）、伝達部、口金、フランジ部材、パッキン等の材質、形状、構造等の構成を、本発明の趣旨を逸脱しない範囲で適宜変更することができる。
【００４４】
たとえば、円筒部に装着するカートリッジは、金属をプレス成形することによって形成したものに限定されず、金属を鋳型に流し込んで成形したもの等に変更することも可能である。また、カートリッジの材質も鉄に限定されず、アルミニウム、ステンレスやチタン等の別の金属に変更することも可能であるし、塩化ビニル等の硬質の合成樹脂に変更することも可能である。
【００４５】
加えて、カートリッジは、上記実施形態の如く細い線状のリング体によって閉じた状態で保持されるものに限定されず、帯状のリング体によって閉じた状態で保持されるもの等に変更することも可能である。図６は、かかるカートリッジの変更例を示したものであり、カートリッジ４１を構成する各収納体４２ａ，４２ｂの先端の外周には、それぞれ、薄肉部分４３が所定幅（約３０ｍｍ）の帯状に設けられている。また、片方の収納体４２ａの薄肉部分４３には、Ｌ字状の係合溝４４が設けられている。一方、カートリッジ４１を閉じた状態で保持するリング体４５は、所定の幅（約３０ｍｍ）を有する広幅のリング状に形成されている。そして、内周面には、収納体４２ａの係合溝４４と係合する係合突起４６が設けられている。そして、カートリッジ４１は、各収納体４２ａ，４２ｂの筒状部４７，４７の非曲面側同士を向かい合わせ、その状態で、リング体４５の係合突起４６を収納体４２ａの係合溝４４に案内させながら、リング体４４を各収納体４２ａ，４２ｂの薄肉部分４３に外嵌し、リング体４５を十分に押し込んだ状態で所定方向（反時計回り）に回転させて、係合突起４６を係合溝４４の基端（折れ曲がった部分）に案内することによって、閉じた状態で保持されている。なお、このように構成されたカートリッジ４１を用いれば、リング体４５を各収納体４２ａ，４２ｂの先端に嵌め込んで、リング体４５の内周の係合突起４６を収納体４２ａの係合溝４４に係合させるだけで、非常に簡単に組み付けて土壌の採取に供することができる。また、カートリッジ４１によれば、土壌の採取中には、閉じられた状態で確実に保持され、土壌の採取後には、リング体４５を僅かに回転させて引き抜くだけで、きわめて容易に開放することが可能となる。なお、カートリッジを帯状のリング体によって閉じた状態で保持されるものとする場合には、２個の収納体の薄肉部分とリング体の内周面とを螺合するように構成することも可能である。
【００４６】
また、本発明の土壌採取装置は、上記実施形態の如く、油圧ポンプやコンプレッサによる打撃力によって地盤中に押し込むものに限定されず、モータによる回転力を利用して地盤中に押し込むものや、作業者の人力によって土壌に押し込むもの等に変更することも可能である。さらに、本発明の土壌採取装置は、必要に応じて円筒部（カートリッジ、保持アーム、保護カバー）の長さや径を調整することができる上、単体の保護カバーの内部にカートリッジのみを装着したものに変更することも可能である。
【産業上の利用可能性】
【００４７】
本発明の土壌採取装置は、上記の如く優れた効果を奏するものであるので、地質調査の用途で土壌を採取するための装置として好適に用いることができる。
【図面の簡単な説明】
【００４８】
【図１】土壌採取装置の正面図である。
【図２】土壌採取装置の分解図である。
【図３】カートリッジの水平断面図（図２におけるＡ−Ａ線断面図）である。
【図４】（ａ）は、２個の収納体を分解した状態を示す斜視図であり、（ｂ）は、組み付けた収納体の螺着部付近を示す正面図である。
【図５】口金の設置部分の鉛直断面図である。
【図６】（ａ）は、カートリッジの変更例（リング体を取り外した状態）を示す正面図であり、（ｂ）は、カートリッジの変更例（リング体を取り付けた状態）を（ａ）におけるＢ−Ｂ線で切断した拡大端面図である。
【符号の説明】
【００４９】
１・・土壌採取装置、２・・円筒部、３・・カートリッジ、３ａ，３ｂ・・収納体、４・・伝達部、６・・Ｏリング（パッキン）、７・・フランジ部材、８口金、９・・外部カバー、１７・・円筒状部、１８・・フランジ、４１・・カートリッジ、４２ａ，４２ｂ・・収納体。
【図１】
2007284961.tif 000003
【図２】
2007284961.tif 000004
【図３】
2007284961.tif 000005
【図４】
2007284961.tif 000006
【図５】
2007284961.tif 000007
【図６】
2007284961.tif 000008